(57)【要約】【課題】開蓋補助具と汚れ取り用生地との両方を携帯でき、デザイン性に優れた携帯用ストラップを提供する。【解決手段】携帯用ストラップ１０に取り付けられる人形（マスコット）２に、汚れ取り用生地からなるエプロン（衣装）２２を装着するとともに、この人形２の内部に開蓋補助具３を収納した構成とする。【選択図】図１
0003125629.tif 000002
【実用新案登録請求の範囲】
【請求項１】
マスコットが取り付けられた携帯用ストラップであって、
前記マスコットの少なくとも一部に汚れ取り用生地からなる衣装が装着され、前記マスコットの内部に開蓋補助具が収納されていることを特徴とする携帯用ストラップ。
【請求項２】
前記マスコットに装着された汚れ取り用生地からなる衣装は、着脱自在であることを特徴とする請求項1に記載の携帯用ストラップ。
【考案の詳細な説明】
【技術分野】
【０００１】
本考案は、人形や動物などのマスコットが取り付けられた携帯用ストラップに関するものである。
【背景技術】
【０００２】
従来、子供、女性、お年寄り、身体障害者などの指先の力が弱い人や、爪にネイルアートを施している人が、飲料用缶等の蓋を容易に開けるための手段として、特許文献１に記載のように、先端部を丸く尖らせた舌片状の開蓋補助具が提案されている。
【０００３】
また、従来、眼鏡や携帯電話等の汚れを払拭するための手段として、極細繊維又は超極細繊維からなる汚れ取り用生地を用いることが知られており、特許文献２では、平板状のマスコットの表面にデザインが施され、裏面に汚れ取り用生地が貼り付けられた携帯電話クリーナーが提案されている。
【特許文献１】登録実用新案第３０５９４２３号公報
【特許文献２】登録実用新案第３０８４０５０号公報
【考案の開示】
【考案が解決しようとする課題】
【０００４】
ところで、上述した特許文献１に記載の開蓋補助具は、合成樹脂製等の硬い素材で形成されているため、携帯して利用しようとすると、破損しやすいという問題がある。
【０００５】
また、上述した特許文献２に記載の携帯電話クリーナーは、平板状のマスコットの表面にデザインが施され、裏面に汚れ取り用生地が貼り付けられた構成となっているため、マスコットを立体的に形成することが難しく、デザイン性の点でさらなる改善の余地がある。
【０００６】
さらに、上述した開蓋補助具と汚れ取り用生地との両方を携帯可能に備えたものは存在していないのが現状である。
【０００７】
そこで、本考案は、上記事情に鑑みてなされたものであり、開蓋補助具と汚れ取り用生地との両方を携帯でき、デザイン性に優れた携帯用ストラップを提供することを課題としている。
【課題を解決するための手段】
【０００８】
このような課題を解決するために、本考案に係る携帯用ストラップは、マスコットが取り付けられた携帯用ストラップであって、前記マスコットの少なくとも一部に汚れ取り用生地からなる衣装が装着され、前記マスコットの内部に開蓋補助具が収納されている構成とした。
【０００９】
本考案に係る携帯用ストラップによれば、汚れ取り用生地からなる衣装がマスコットに装着され、マスコットの内部に開蓋補助具が収納されているため、開蓋補助具と汚れ取り用生地との両方を携帯することができる。
【００１０】
また、開蓋補助具をマスコットの内部に収納したことにより、携帯時に開蓋補助具の破損を防止することが可能となる。
【００１１】
さらに、汚れ取り用生地からなる衣装をマスコットの少なくとも一部に装着し、開蓋補助具をマスコットの内部に収納したことにより、開蓋補助具や汚れ取り用生地としての実用性を備えつつ、優れたデザイン性を備えることが可能となる。
【００１２】
ここで、本考案に係る携帯用ストラップにおいて、前記マスコットに装着された汚れ取り用生地からなる衣装は、着脱自在であるように構成することが好ましい。この構成によれば、汚れた衣装を洗濯できるため、汚れ取り用生地としての機能を長期間維持することが可能となるとともに、マスコットの衣装を着せ替えることができるため、優れた遊戯性を備えることが可能となる。
【考案の効果】
【００１３】
本考案によれば、飲料用缶等の蓋を開ける際に用いる開蓋補助具と、眼鏡や携帯電話等に付いた汚れを払拭する汚れ取り用生地との両方を携帯でき、優れたデザイン性を備えた携帯用ストラップを提供できる。
【考案を実施するための最良の形態】
【００１４】
以下、本考案に係る最良の実施形態について図面を参照しながら説明する。
【００１５】
図１は、本考案に係る携帯用ストラップの一例を示し、（ａ）は正面図、（ｂ）は背面図、（ｃ）は底面図である。図２は、本考案に係る携帯用ストラップの一使用例を示す斜視図である。図３は、本考案に係る携帯用ストラップの他の使用例を示す斜視図である。図４は、本考案に係る携帯用ストラップの取り付け例を示す斜視図である。
【００１６】
この携帯用ストラップ１０は、図1に示すように、ストラップ紐１１と、マスコット・開蓋補助具取り付け用紐１２と、ストラップ取り付け用紐１３とがそれぞれループ状に連結部１４に固定されたストラップ本体１と、このストラップ本体１のマスコット・開蓋補助具取り付け用紐１２に着脱自在に取り付けられた人形（マスコット）２及び開蓋補助具３と、から構成されている。
【００１７】
人形２は、ドレス２１、エプロン２２、及び帽子２３を装着している。この人形２の衣装の一部であるエプロン２２は、公知の極細繊維又は超極細繊維からなる汚れ取り用生地からなり、ボタンやファスナーで着脱自在に装着されている。
【００１８】
また、人形２は、その下半身側から開口する内部空間を有し、この内部空間には飲料用缶のプルトップ（蓋）を開けることができる公知の開蓋補助具３が収納されている。
【００１９】
この携帯用ストラップ１０を用いて、飲料用缶２０のプルトップ２１を開ける場合には、図２に示すように、人形２の内部に収納された開蓋補助具３を把持し、その開蓋補助具３の先端を飲料用缶２０のプルトップ２１に引っ掛けて、てこの原理でプルトップ２１を持ち上げるようにする。
【００２０】
また、この携帯用ストラップ１０を用いて、眼鏡３０のレンズ３１に付いた汚れを払拭する場合には、図３に示すように、人形２のエプロン２２でレンズ３１の両側から挟んで払拭するようにする。
【００２１】
本実施形態の携帯用ストラップ１０は、ストラップ本体１に取り付けられたストラップ紐１１を使用者が把持してそのまま携帯してもよい。
【００２２】
また、本実施形態の携帯用ストラップ１０は、図４（ａ）に示すように、ストラップ本体１に取り付けられたストラップ取り付け用紐１３を携帯電話４０に取り付けて用いてもよいし、同様に、図４（ｂ）に示すように、ストラップ取り付け用紐１３をキーホルダー５０に取り付けて用いてもよい。
【００２３】
さらに、本実施形態の携帯用ストラップ１０は、図４（ｃ）に示すように、ストラップ本体１に取り付けられたストラップ紐１１を車のバックミラー６０に引っ掛けて用いてもよい。
【００２４】
本実施形態の携帯用ストラップ１０によれば、汚れ取り用生地からなるエプロン２２を装着した人形２の内部に開蓋補助具３が収納されていることにより、開蓋補助具３と汚れ取り用生地との両方を携帯することができるとともに、携帯時に開蓋補助具３が破損しにくく、且つ、上述した特許文献２に記載のマスコットと比べて、優れたデザイン性を備えることができる。
【００２５】
また、汚れ取り用生地からなるエプロン２２を着脱自在に装着したことによって、汚れたエプロン２２を洗濯することができるため、汚れ取り用生地としての機能を長期間維持することができるとともに、人形のエプロン２２を色やデザインの異なるものに着せ替えることができるため、優れた遊戯性を備えることができる。
【００２６】
さらに、人形２及び開蓋補助具３をマスコット・開蓋補助具取り付け用紐１２に着脱自在に取り付けたことによって、人形２や開蓋補助具３を携帯用ストラップ１０から取り外した状態で使用することができるとともに、携帯用ストラップ１０に取り付ける人形２や開蓋補助具３を自在に取り替えることができる。
【００２７】
なお、本実施形態の携帯用ストラップ１０においては、開蓋補助具３として、飲料用缶２０のプルトップ２１を開けることができる開蓋補助具を備えた構成について説明したが、これに限らず、ペットボトル用容器のキャップ（蓋）を開けることができる開蓋補助具や、プルトップとキャップとの両方を開けることができる開蓋補助具を備えた構成としてもよい。
【００２８】
また、本実施形態の携帯用ストラップ１０においては、極細繊維又は超極細繊維からなる汚れ取り用生地を用いた構成について説明したが、これに限らず、合成皮革などその他の汚れ取り用生地を用いた構成としてもよい。
【００２９】
さらに、本実施形態の携帯用ストラップ１０においては、エプロン２２のみを汚れ取り用生地で形成した構成について説明したが、これに限らず、ドレス２１や帽子２３を汚れ取り用生地で形成し、これらを着脱自在に装着した構成としてもよい。また、眼鏡、携帯電話、鏡など払拭する箇所に応じて最適な汚れ取り用生地を選択できるように、ドレス２１、エプロン２２、帽子２３のそれぞれを異なる種類の汚れ取り用生地で構成するようにしてもよい。
【００３０】
さらに、本実施形態の携帯用ストラップ１０においては、マスコットとして、人形２を備えた構成について説明したが、これに限らず、犬等のぬいぐるみを備えた構成としてもよい。
【図面の簡単な説明】
【００３１】
【図１】本考案に係る携帯用ストラップの一例を示し、（ａ）は正面図、（ｂ）は背面図、（ｃ）は底面図である。
【図２】本考案に係る携帯用ストラップの一使用例を示す斜視図である。
【図３】本考案に係る携帯用ストラップの他の使用例を示す斜視図である。
【図４】本考案に係る携帯用ストラップの一取り付け例を示し、（ａ）は携帯電話に取り付けた状態を示す斜視図、（ｂ）はキーホルダーに取り付けた状態を示す斜視図、（ｃ）は車のバックミラーに取り付けた状態を示す斜視図である。
【符号の説明】
【００３２】
１  ストラップ本体
２  人形（マスコット）
３  開蓋補助具
１０  携帯用ストラップ
２０  飲料用缶
２１  プルトップ（蓋）
３０  眼鏡
４０  携帯電話
５０  キーホルダー
６０  バックミラー
【図１】
0003125629.tif 000003
【図２】
0003125629.tif 000004
【図３】
0003125629.tif 000005
【図４】
0003125629.tif 000006